【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
ネットワーク（Ｎ）と複数のユーザ端末（Ｔ１〜Ｔｎ）の間のエアインタフェース通信のために、ＯＦＤＭなどのマルチキャリア技術を利用する無線通信システムにおける端末支援調整無線サービング方法であって、ネットワーク（Ｎ）は、無線ネットワークコントローラ（ＮＥ３）によって制御される少なくとも２つの基地局（ＮＥ１およびＮＥ２）を備え、基地局は、そのセルサービスエリア（Ｃ１およびＣ２）内部に位置するユーザ端末（Ｔ１〜Ｔｎ）との通信手段を有し、
ユーザ端末（Ｔ）は、起点基地局（ＮＥ１）によってカバーされる第１のセルサービスエリア（Ｃ１）から、サービスオーバーラップ領域（ＳＨＯ）に移動し、この中では、少なくとも、第２の基地局（ＮＥ２）によってカバーされる第２のサービスセルエリア（Ｃ２）も利用可能であり、
端末（Ｔ）が少なくとも２つのパイロットチャネルを並行して受信できるようにＯＦＤＭワイヤレス通信チャネルが設計され、各パイロットチャネルは、サービスオーバーラップ領域（ＳＨＯ）内でオーバーラップする各サービスセルエリアのためのものであり、
移動無線ネットワーク（Ｎ）が、ＯＦＤＭ時間−周波数グリッドを、いくつかの直交したオーバーラップしない時間−周波数パターンに区分し、時間−周波数パターンを、時間−周波数グループにグループ化し、グループは、前記時間−周波数パターンの少なくとも１つを含み、ユーザ端末（Ｔ）に前記時間−周波数グループの１つを通信のために割り当て、
端末（Ｔ）が、サービスオーバーラップ領域（ＳＨＯ）内部で起点セル（Ｃ１）の境界に移動するとき、そのエリア内の干渉隣接基地局からのパイロット信号を測定し、移動無線ネットワーク（Ｎ）に、これらの基地局（ＮＥ２）およびその起点基地局（ＮＥ１）からの受信の強度についての情報を信号通知し、
端末（Ｔ）の情報およびネットワーク基準に基づいて、移動無線ネットワーク（Ｎ）が、端末（Ｔ）に、起点基地局（ＮＥ１）内で同じ時間−周波数グループ、ならびにオーバーラップ領域（ＳＨＯ）内でサービスする他の基地局（ＮＥ２）の少なくとも１つを確保し割り当てようとし、
移動無線ネットワーク（Ｎ）が、一方向で、端末との同期通信のために前記サービング基地局（ＮＥ１およびＮＥ２）の少なくとも２つを使うことによって、ネットワークのデータトラフィックが、無線ネットワークコントローラ（ＮＥ３）によって、前記サービング基地局（ＮＥ１およびＮＥ２）に転送され、次いで、同じ時間−周波数グループおよび同じ情報伝達信号を用いて、同期して伝送を行うことを特徴とする方法。
【請求項２】
ネットワーク（Ｎ）と複数のユーザ端末（Ｔ１〜Ｔｎ）の間のエアインタフェース通信のために、ＯＦＤＭなどのマルチキャリア技術を利用する無線通信システムにおける端末支援調整干渉回避方法であって、ネットワーク（Ｎ）は、無線ネットワークコントローラ（ＮＥ３）によって制御される少なくとも２つの基地局（ＮＥ１およびＮＥ２）を備え、基地局は、そのセルサービスエリア（Ｃ１およびＣ２）内部に位置するユーザ端末（Ｔ１〜Ｔｎ）との通信手段を有し、
ユーザ端末（Ｔ）は、起点基地局（ＮＥ１）によってカバーされる第１のセルサービスエリア（Ｃ１）から、サービスオーバーラップ領域（ＳＨＯ）に移動し、この中では、少なくとも、第２の基地局（ＮＥ２）によってカバーされる第２のサービスセルエリア（Ｃ２）も利用可能であり、
端末（Ｔ）が少なくとも２つのパイロットチャネルを並行して受信できるようにＯＦＤＭワイヤレス通信チャネルが設計され、各パイロットチャネルは、サービスオーバーラップ領域（ＳＨＯ）内でオーバーラップする各サービスセルエリアのためのものであり、
移動無線ネットワーク（Ｎ）が、ＯＦＤＭ時間−周波数グリッドを、いくつかの直交したオーバーラップしない時間−周波数パターンに区分し、時間−周波数パターンを、時間−周波数グループにグループ化し、グループは、前記時間−周波数パターンの少なくとも１つを含み、ユーザ端末（Ｔ）に前記時間−周波数グループの１つを通信のために割り当て、
端末（Ｔ）が、サービスオーバーラップ領域（ＳＨＯ）内部で起点セル（Ｃ１）の境界に移動するとき、そのエリア内の干渉隣接基地局からのパイロット信号を測定し、移動無線ネットワーク（Ｎ）に、これらの基地局（ＮＥ２）およびその起点基地局（ＮＥ１）からの受信の強度についての情報を信号通知し、
端末（Ｔ）の情報およびネットワーク基準に基づいて、移動無線ネットワーク（Ｎ）が、端末（Ｔ）に、起点基地局（ＮＥ１）内で同じ時間−周波数グループ、ならびにオーバーラップ領域（ＳＨＯ）内でサービスする他の基地局（ＮＥ２）の少なくとも１つを確保しようとし、
移動無線ネットワーク（Ｎ）が、端末（Ｔ）に関連づけられた時間−周波数グループを用いて、端末（Ｔ）に、起点基地局（ＮＥ１）からのみデータを送り続け、端末（Ｔ）に関連づけられたこの時間−周波数グループで、他の基地局（ＮＥ２）によって伝送される電力を低減し、それによって、干渉が十分に削減されることを特徴とする方法。
【請求項３】
起点基地局（ＮＥ１）および干渉基地局（ＮＥ２）が時間同期されないことを特徴とする請求項２に記載の調整干渉回避方法。
【請求項４】
移動無線ネットワーク（Ｎ）が、ＨＡＲＱなど、端末（Ｔ）とのＡＲＱ機構をさらに使用して、起点基地局（ＮＥ１）から端末（Ｔ）に送信されたとき、エラーとして受信されたパケットを再スケジュールすることを特徴とする請求項２に記載の調整干渉回避方法。
【請求項５】
端末（Ｔ）が少なくとも２つのシグナリングチャネルを並行してさらに受信できるように、ＯＦＤＭワイヤレス通信チャネルが設計されることを特徴とする請求項１または２に記載の方法。
【請求項６】
移動無線ネットワーク（Ｎ）と端末（Ｔ）の間の通信のための、時間−周波数グループの確保および割当てが、起点基地局（ＮＥ１）、および／または干渉基地局（ＮＥ２）および／または無線ネットワークコントローラ（ＮＥ３）によって行われることを特徴とする請求項１または２に記載の方法。
【請求項７】
移動無線ネットワーク（Ｎ）と端末（Ｔ）の間の通信用の時間−周波数グループの確保および割当てについて、移動無線ネットワーク（Ｎ）が、利用可能な時間−周波数パターンまたはグループ、関与しているすべてのセルにおけるロード状況、サービスタイプ、優先順位、および端末がネットワークから受けているサービスの品質などの要因を考慮することを特徴とする請求項１または２に記載の方法。
【請求項８】
調整伝送モードでスケジュールされない、端末への時間−周波数パターンまたは時間−周波数グループ割当てが、時間−周波数パターンにわたって、発生されるセル間干渉をより均一にさせるようにランダムに、または擬似ランダムに周期的に変えられることを特徴とする請求項１または２に記載の方法。
【請求項９】
移動無線ネットワーク（Ｎ）が、ＯＦＤＭ時間−周波数グリッドを、周波数ホッピングを使用しない、いくつかの直交したオーバーラップしない周波数パターン（ＦＰ１〜ＦＰ１６）に区分することを特徴とする請求項１または２に記載の方法。
【請求項１０】
異なるセル内の端末（Ｔ）によって受信されるＯＦＤＭシステムパイロットチャネルが、データとしてより高いエネルギーをもつパイロットシンボルを有するインターリービング非オーバーラップ方法で、設計されることを特徴とする請求項９に記載の方法。
【請求項１１】
異なるセル内の端末（Ｔ）によって受信されるＯＦＤＭシステムパイロットおよびシグナリングチャネルが、データとしてより高いエネルギーをもつパイロットおよびシグナリングシンボルを有するインターリービング非オーバーラップ方法で、設計されることを特徴とする請求項５に記載の方法。
【請求項１２】
各基本周波数パターン（ＦＰ１〜ＦＰ１６）は、セル固有のパイロットパターンとは独立にすべてのセル内で同じ場所を占め、固有の送信セルパイロット位置を収容するために、各パターンで十分な場所をさらに含み、少なくとも常に、このようなパターンの基本チャネルデータレートのために基本的な数の時間−周波数場所を残し、そうすることによって、基本周波数パターンは、送信セルパイロットからは干渉を受けず、異なるパイロットパターンを有する隣接セルからの干渉のみを受け、最大でもオーバーヘッドの場所に相当する量だけが、すなわち、周波数パターンの全体の場所と、基本チャネルデータレートのための基本的な数の時間−周波数位置との差が、送信パイロット位置のために残されることを特徴とする請求項９に記載の方法。
【請求項１３】
ＯＦＤＭ時間−周波数グリッドを、いくつかの直交したオーバーラップしない時間−周波数パターンに区分し、これらのパターンを、前記時間−周波数パターンの少なくとも１つを含む時間−周波数グループにグループ化し、通信のために前記時間−周波数グループの１つをユーザ端末（Ｔ）に割り当てる手段と、端末（Ｔ）から、セルパイロット信号に関する受信測定値の強度についてシグナリング情報を受信する手段と、前記情報を分析し、ネットワーク（Ｎ）の少なくとも２つの基地局（ＮＥ１およびＮＥ２）に、端末（Ｔ）との通信のために同じ時間−周波数グループを確保し割り当てる手段と、少なくとも２つの隣接する基地局（ＮＥ１およびＮＥ２）からの、同じ時間−周波数グループの同じ情報伝達信号を、同期して端末（Ｔ）に伝送する手段、および／または時間−周波数グループで基地局（ＮＥ１）からのみ伝送を行い、前記時間−周波数グループで隣接基地局（ＮＥ２）から伝送される電力を低減する手段とを備えることを特徴とする移動無線ネットワーク（Ｎ）。
【請求項１４】
端末（Ｔ）とのＡＲＱ機構を実施して、起点基地局（ＮＥ１）から端末（Ｔ）に送信されたとき、エラーとして受信されたパケットを再スケジュールする手段をさらに備えることを特徴とする請求項１３に記載の移動無線ネットワーク（Ｎ）。
【請求項１５】
少なくとも２つのＯＦＤＭパイロットチャネルおよび／または２つのＯＦＤＭシグナリングチャネルを並行して受信する手段と、通信のために移動無線ネットワーク（Ｎ）と時間−周波数グループを交渉する手段と、干渉隣接基地局（ＮＥ２）からのＯＦＤＭパイロット信号を測定し、前記情報を移動無線ネットワーク（Ｎ）に信号シグナリングする手段とを備えることを特徴とするユーザ端末（Ｔ）。
【請求項１６】
ＯＦＤＭ時間−周波数グリッドを、いくつかの直交したオーバーラップしない時間−周波数パターンに区分し、このようなパターンを、前記時間−周波数パターンの少なくとも１つを含むＴ−Ｆグループである時間−周波数グループにグループ化し、ユーザ端末（Ｔ）に通信のために前記Ｔ−Ｆグループの１つを割り当てる手段と、端末（Ｔ）から、セルパイロット信号に関する受信測定値の強度についてシグナリング情報を受信する手段と、前記情報を分析し、ネットワーク（Ｎ）の別のネットワーク要素に、端末（Ｔ）との通信のために同じ時間−周波数グループを確保し割り当てる手段と、別の隣接ネットワーク要素と及び同じ時間−周波数グループの同じ情報伝達信号を、同期した方法で端末（Ｔ）に伝送する手段、および／または端末（Ｔ）との通信のために隣接ネットワーク要素によって既に割り当てられている時間−周波数グループで伝送される電力を低減する手段とを備えることを特徴とするネットワーク要素（ＮＥ）。